【手続補正書】
【提出日】平成19年7月3日(2007.7.3)
【手続補正１】
【補正対象書類名】明細書
【補正対象項目名】特許請求の範囲
【補正方法】変更
【補正の内容】
【特許請求の範囲】
【請求項１】  複数の系統の映像信号が入力する少なくとも一つの入力手段と、
前記入力手段に入力する複数の映像信号の伝送情報量の総計を任意の値にするために、各伝送情報量の変更量と変更方法を決定する伝送情報量管理手段と、
各伝送情報量の変更方法を指定した情報量制御信号を作成する情報量制御信号作成手段と、
前記入力手段に入力する複数の系統の映像信号源に対して、前記情報量制御信号を通信する情報量制御信号通信手段と、
前記入力手段に入力する伝送情報量の総計を制御する制御手段と
を有することを特徴とする画像処理装置。
【請求項２】  複数の系統の映像信号が入力する少なくとも一つの入力手段と、
前記入力手段に入力する複数の映像信号の伝送情報量を取得する伝送情報量取得手段と、
取得した伝送情報量の総計を任意の値にするために、各伝送情報量の変更量と変更方法を決定する伝送情報量管理手段と、
各伝送情報量の変更方法を指定した情報量制御信号を作成する情報量制御信号作成手段と、
前記入力手段に入力する複数の系統の映像信号源に対して、前記情報量制御信号を通信する情報量制御信号通信手段と、
前記入力手段に入力する伝送情報量の総計を制御する制御手段と
を有することを特徴とする画像処理装置。
【請求項３】  さらに、画像を表示するための画像表示手段を有することを特徴とする請求項１又は２記載の画像処理装置。
【請求項４】  前記伝送情報量管理手段は、前記入力手段に入力する複数の映像信号の画像属性情報群と画像表示手段のＥＤＩＤ情報を参照して、各伝送情報量の変更量と変更方法を決定することを特徴とする請求項１〜３のいずれかに記載の画像処理装置。
【請求項５】  前記情報量制御信号の指示する伝送情報量の変更は、表示領域の画素数に応じた解像度の変更であることを特徴とする請求項１〜４のいずれかに記載の画像処理装置。
【請求項６】  前記情報量制御信号の指示する伝送情報量の変更は、画面に表示している領域のみの画像信号を伝送するように指定することを特徴とする請求項１〜４のいずれかに記載の画像処理装置。
【請求項７】  （ａ）複数の系統の映像信号を入力するステップと、
（ｂ）前記入力する複数の映像信号の伝送情報量の総計を任意の値にするために、各伝送情報量の変更量と変更方法を決定するステップと、
（ｃ）各伝送情報量の変更方法を指定した情報量制御信号を作成するステップと、
（ｄ）前記入力する複数の系統の映像信号源に対して、前記情報量制御信号を通信するステップと、
（ｅ）前記入力する伝送情報量の総計を制御するステップと
を有することを特徴とする画像処理方法。
【請求項８】  （ａ）複数の系統の映像信号を入力するステップと、
（ｂ）前記入力する複数の映像信号の伝送情報量を取得するステップと、
（ｃ）前記取得した伝送情報量の総計を任意の値にするために、各伝送情報量の変更量と変更方法を決定するステップと、
（ｄ）各伝送情報量の変更方法を指定した情報量制御信号を作成するステップと、
（ｅ）前記入力する複数の系統の映像信号源に対して、前記情報量制御信号を通信するステップと、
（ｆ）前記入力する伝送情報量の総計を制御するステップと
を有することを特徴とする画像処理方法。
【請求項９】  （ａ）複数の系統の映像信号を入力する手順と、
（ｂ）前記入力する複数の映像信号の伝送情報量の総計を任意の値にするために、各伝送情報量の変更量と変更方法を決定する手順と、
（ｃ）各伝送情報量の変更方法を指定した情報量制御信号を作成する手順と、
（ｄ）前記入力する複数の系統の映像信号源に対して、前記情報量制御信号を通信する手順と、
（ｅ）前記入力する伝送情報量の総計を制御する手順と
をコンピュータに実行させるためのプログラムを記録したコンピュータ読み取り可能な記録媒体。
【請求項１０】  （ａ）複数の系統の映像信号を入力する手順と、
（ｂ）前記入力する複数の映像信号の伝送情報量を取得する手順と、
（ｃ）前記取得した伝送情報量の総計を任意の値にするために、各伝送情報量の変更量と変更方法を決定する手順と、
（ｄ）各伝送情報量の変更方法を指定した情報量制御信号を作成する手順と、
（ｅ）前記入力する複数の系統の映像信号源に対して、前記情報量制御信号を通信する手順と、
（ｆ）前記入力する伝送情報量の総計を制御する手順と
をコンピュータに実行させるためのプログラムを記録したコンピュータ読み取り可能な記録媒体。
【手続補正２】
【補正対象書類名】明細書
【補正対象項目名】００２４
【補正方法】変更
【補正の内容】
【００２４】
【課題を解決するための手段】
本発明の一観点によれば、複数の系統の映像信号が入力する少なくとも一つの入力手段と、前記入力手段に入力する複数の映像信号の伝送情報量の総計を任意の値にするために、各伝送情報量の変更量と変更方法を決定する伝送情報量管理手段と、各伝送情報量の変更方法を指定した情報量制御信号を作成する情報量制御信号作成手段と、前記入力手段に入力する複数の系統の映像信号源に対して、前記情報量制御信号を通信する情報量制御信号通信手段と、前記入力手段に入力する伝送情報量の総計を制御する制御手段とを有することを特徴とする画像処理装置が提供される。
【手続補正３】
【補正対象書類名】明細書
【補正対象項目名】００２５
【補正方法】変更
【補正の内容】
【００２５】
本発明の他の観点によれば、複数の系統の映像信号が入力する少なくとも一つの入力手段と、前記入力手段に入力する複数の映像信号の伝送情報量を取得する伝送情報量取得手段と、取得した伝送情報量の総計を任意の値にするために、各伝送情報量の変更量と変更方法を決定する伝送情報量管理手段と、各伝送情報量の変更方法を指定した情報量制御信号を作成する情報量制御信号作成手段と、前記入力手段に入力する複数の系統の映像信号源に対して、前記情報量制御信号を通信する情報量制御信号通信手段と、前記入力手段に入力する伝送情報量の総計を制御する制御手段とを有することを特徴とする画像処理装置が提供される。
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】
【手続補正１６】
【補正対象書類名】明細書
【補正対象項目名】０２０１
【補正方法】削除
【補正の内容】
【手続補正１７】
【補正対象書類名】明細書
【補正対象項目名】０２０２
【補正方法】削除
【補正の内容】
【手続補正１８】
【補正対象書類名】明細書
【補正対象項目名】０２０３
【補正方法】削除
【補正の内容】